(57)【要約】      （修正有）【課題】磁気検出センサの組付・取外しが容易で、低コストとなる冷蔵庫を提供する。【解決手段】冷蔵庫本体に形成された貯蔵室と、貯蔵室の前面開口部を閉塞する左右の扉と、扉に備えた磁石と、磁石の磁力を検知する磁気検出センサと、左右の扉の少なくとも一方に設けられた回転仕切体と、貯蔵室の前面開口部に設けられて回転仕切体の回動を案内する仕切案内部２１と、を備えた冷蔵庫において、仕切案内部２１内に磁気検出センサを設けた。【選択図】図５
2019020003.tif 000002
【特許請求の範囲】
【請求項１】
冷蔵庫本体に形成された貯蔵室と、前記貯蔵室の前面開口部を閉塞する左右の扉と、前記扉に備えた磁石と、前記磁石の磁力を検知する磁気検出センサと、前記左右の扉の少なくとも一方に設けられた回転仕切体と、前記貯蔵室の前面開口部に設けられて前記回転仕切体の回動を案内する仕切案内部と、を備えた冷蔵庫において、
前記仕切案内部内に前記磁気検出センサが設けられたことを特徴とする冷蔵庫。
【請求項２】
請求項１において、
前記扉は、前記貯蔵室側の面に設けられたガスケットを有し、
前記磁石は、前記ガスケットの内部に設けられたことを特徴とする冷蔵庫。
【請求項３】
請求項１又は２において、
前記磁気検出センサと前記磁石の間は、着磁性のある部材で構成されていることを特徴とする冷蔵庫。
【請求項４】
請求項１乃至３のいずれかにおいて、
前記磁気検出センサを備えたセンサ搭載基板は、前記仕切案内部の前面側に設けられたことを特徴とする冷蔵庫。
【請求項５】
請求項１乃至４のいずれかにおいて、
前記磁気検出センサを複数備え、それぞれ別の扉の開放検知を行っていることを特徴とする冷蔵庫。
【請求項６】
請求項１乃至５のいずれかにおいて、
前記磁気検出センサは、前記貯蔵室の天面であって、前記貯蔵室の内部を照らす庫内灯の前方投影内に配置されていることを特徴とする冷蔵庫。
【請求項７】
請求項１乃至６のいずれかにおいて、
前記仕切案内部の前面側は、前記冷蔵庫の前面側の外装面と、ほぼ同一面になるように配置されていることを特徴とする冷蔵庫。
【発明の詳細な説明】
【技術分野】
【０００１】
本発明は、冷蔵庫に関する。
【背景技術】
【０００２】
近年、冷蔵庫は機能の進化や多様化が進み、利便性と性能が向上している。しかしその反面、使用する部品も多様化、複雑化、員数の増加等の要因で製造原価が高くなってしまうことが問題となっていた。そのためコストアップを抑制するため様々な工夫を凝らし部品点数の削減等が行われている。
【０００３】
例えば特許文献１記載の冷蔵庫では、非接触式の磁気検出センサを用い、冷蔵室の扉の開放を磁石により検知する方式の冷蔵庫において、別々に設けられていた扉開放検知用の磁石と、扉閉時に箱体に吸着させるためのガスケットの磁石と、について、ガスケットの磁石をセンサ検知用にも用いることで扉開放検知用の磁石を除去している。
【先行技術文献】
【特許文献】
【０００４】
【特許文献１】特開２０１３−１９０１３３号公報
【発明の概要】
【発明が解決しようとする課題】
【０００５】
しかしながら特許文献１に記載の構成では、断熱箱体を仕切る仕切部材の外装及び断熱に空間を設け、磁気検出センサを搭載した電子基板等をその空間に配置する構成となっている。このため、電子基板等を配置するための専用の部材（ケース）が必要不可欠であり、部品点数の削減が困難であった。
【０００６】
ここで、冷蔵庫本体の外装面等の表面に磁気検出センサをそのまま取り付けてしまうと、磁気検出センサへ水が浸入する可能性があり、外装面等の内部に磁気検出センサを取り付けるとなると、磁気検出センサの取り外しが困難となり組み付け性やサービス性が低下する。
【０００７】
上記課題に対し、本発明は、磁気検出センサの組付・取外しが容易で、低コストとなる冷蔵庫を提供することを目的とする。
【課題を解決するための手段】
【０００８】
上記課題を解決するために、本発明は、冷蔵庫本体に形成された貯蔵室と、前記貯蔵室の前面開口部を閉塞する左右の扉と、前記扉に備えた磁石と、前記磁石の磁力を検知する磁気検出センサと、前記左右の扉の少なくとも一方に設けられた回転仕切体と、前記貯蔵室の前面開口部に設けられて前記回転仕切体の回動を案内する仕切案内部と、を備えた冷蔵庫において、前記仕切案内部内に前記磁気検出センサを設けた。
【発明の効果】
【０００９】
上記の構成により、磁気検出センサの組付・取外しが容易で、低コストとなる冷蔵庫を提供できる。
【図面の簡単な説明】
【００１０】
【図１】本発明の実施例に係る冷蔵庫の斜視図
【図２】図１の冷蔵室扉の部品構成説明図
【図３】左側冷蔵室扉に設けた回転仕切体の構成説明図
【図４】扉開放検知手段を設けた仕切案内部の構成説明図
【図５】冷蔵室天井に設けた仕切案内部と庫内灯の構成図
【図６】図５の配線構成を示す断面図
【図７】ガスケット磁石と磁気検出センサの配置を示す構成図
【発明を実施するための形態】
【００１１】
本発明の実施の形態について、以下図面に基づいて説明する。まず、実施例の冷蔵庫の全体に関して、図１〜３を用いて説明する。
【００１２】
冷蔵庫本体１には、冷蔵室２，製氷室３，上段冷凍室４，冷凍室５，野菜室６が設けられて、各貯蔵室の前面開口部を閉塞する扉がそれぞれ設けられている。上段冷凍室扉４ａは上段冷凍室４の前面開口部を閉じる扉、製氷室扉３ａは製氷室３の前面開口部を閉じる扉、冷凍室扉５ａは冷凍室５の前面開口部を閉じる扉、野菜室扉６ａは野菜室６の前面開口部を閉じる扉である。これらの扉はそれぞれ、冷蔵庫本体１の開口を仕切るシキリ部材に接触することで、各扉に対応する開口を閉塞する。各扉はシキリ部材との接触性を高め、その内部に磁石３５を備えるガスケット（不図示）を有している。ガスケットは、たとえば各扉の貯蔵室側の外周縁の面に沿って設けることができる。
【００１３】
冷蔵室扉２ａ，２ｂは、冷蔵室２の開口を閉じる扉である。左右の冷蔵室扉２ａ、２ｂは両端のヒンジ中央から両側に開く両開き式である。上段冷凍室扉３ａ，製氷室扉４ａ，冷凍室扉５ａ，野菜室扉６ａは引出し式の扉によって構成され、引出し扉とともに貯蔵室内の引出し容器が引出される。
【００１４】
図２は冷蔵室扉２ａ、２ｂとその間を埋める回転仕切体１１の構成図である。図３は回転仕切体１１の構成説明図である。
【００１５】
以下、回転仕切体１１は冷蔵室扉２ｂに備えられた状態で説明するが、左右対称の同構成の物を冷蔵室扉２ａに設けた場合でも同じ効果を得ることができる。回転仕切体１１は、冷蔵室扉２ａ、２ｂが閉じているときに生じるこれら二部材間の隙間を埋める。これにより、回転仕切体１１は冷蔵室２の冷気漏れを抑制する。
【００１６】
図３（Ｂ）に示すように回転仕切体１１は、断熱部材１５を中心側に有している。回転仕切体１１は、正面に設けられた正面部材１２、背面に設けられた背面部材１３、前面開口部（冷蔵庫扉２が開閉する開口の縁）に備えた仕切案内部２１のガイド凸部材２２と嵌合する天面部材１４を有している。正面部材１２は、冷蔵室扉２ａ、２ｂに備えられたガスケットの磁石３５に吸着するように金属等の磁性体を有しているので、閉塞時における冷蔵庫扉２ａ、２ｂと回転仕切体１１との密着性を高めて、冷気の漏れを抑制できる。正面部材１２と断熱部材１５の間には、正面部材１２の延材方向（図３中の上下方向）に沿ってヒータ（不図示）が設けられている。断熱部材１５は、たとえばスチロフォームを用いることができる。
【００１７】
回転仕切体１１は、冷蔵室扉２ｂに設けられている。回転仕切体１１は、冷蔵室扉２ｂ開閉動作中に、仕切案内部２１のガイド凸部材２２とガイド溝１４ａの案内により回動する。冷蔵室扉２ｂが閉じている際には、正面部材１２が冷蔵室扉２ｂの回動中心に対して垂直な方向に向いているが、冷蔵室扉２ｂが開く際には、正面部材１２が冷蔵室扉２ｂの回動中心を向くように回動する。
【００１８】
そのため、回転仕切体１１は冷蔵室扉２ａと干渉せずに冷蔵室扉２ｂの開放を行える。なお、回転仕切体１１はばねで付勢されており、冷蔵室扉２ｂが開放中のときは、ガイド溝１４ａと仕切案内部２１により回動した状態、すなわち内側に倒れた状態を維持する。
冷蔵室扉２ｂが開放中のとき、回転仕切体１１は任意で扱わない限り内側に倒れた状態となる。
【００１９】
回転仕切体１１の回動を案内する仕切案内部２１は、冷蔵室２の天面部にネジにて固定している（不図示）。これは仕切案内部２１の有するガイド凸部材２２が回転仕切体１１と摺動を繰り返すので磨耗に強い材料を用いるためや、組み立てや材料のバラつきにより回転仕切体１１の動作が悪化した際の調整のためである。よって仕切案内部２１は一般的に冷蔵庫１の箱体形成部品とは別部品として構成されている。
【００２０】
これらより、観音開きの扉を採用している冷蔵庫において、もともと別体として部品を構成させる仕切案内部２１内に冷蔵室扉２ａ、２ｂの開放を検知する磁気検出センサ３２を備えたセンサ搭載基板３４を配置させれば、センサ搭載基板３４配置専用の部材（ケース）は不要となり、部品点数を削減できるので、冷蔵庫の低コスト化が可能である。また、冷蔵庫本体の外装面１ａから仕切案内部２１を取り外すことにより、センサ搭載基板３４の取り外しも容易となるので、サービス性も向上する。
【００２１】
以下、仕切案内部２１に扉開放検知手段を設けた構成について説明する。
【００２２】
図４は仕切案内部２１内に磁気検出センサ３２を備えたセンサ搭載基板３４を配置した構成図で、（Ａ）は冷蔵庫１の正面側より見た図、（Ｂ）は冷蔵庫１の背面側より見た図である。仕切案内部２１は、回転仕切体１１のガイド凸部材２２、後述するセンサ搭載基板３４を支持する基板固定用ツメ２３を有している。センサ搭載基板３４の本体及び充電部・結線部と基板固定用ツメ２３はリブ形状で覆い、外部からの水浸入を防ぐ構成としている。
【００２３】
図５は仕切案内部２１の配置箇所を示した図で、図６は図５の側断面図である。仕切案内部２１は冷蔵室２の天面の前側端に配置させる。このとき、背面側にセンサ搭載基板３４が配置される正面カバー２１ａの前面側は、冷蔵庫本体１の扉側（前面側）外装面１ａとほぼ同一面となる。また、冷蔵室扉２ｂが閉じられた状態の回転仕切体１１の正面部材１２もほぼ同一面となる。これにより冷蔵室扉２ａ、２ｂに備えたパッキンの着磁面に段差をなくし、中の冷気が漏れることを防ぐ。なお、正面カバー２１ａは、着磁性のある部材で構成されているので、ガスケットの磁石３５に吸着しやすくなっている。
【００２４】
センサ搭載基板３４への電力の供給は、冷蔵室２の天面内部より配線５１を回し、直接センサ搭載基板３４にて結線を行う。このとき、冷蔵室２の同一天面内に設けられて冷蔵室２内部を照らす庫内灯４１部の庫内灯基板４２用の配線５２とまとめた配線とすることで、専用の配線回しとならず、作業工程の増加も抑えられる。特に、庫内灯４１部の前方投影内にセンサ搭載基板３４を配置することにより配線５１の長さも最小に抑えることができる。
【００２５】
センサ搭載基板３４には磁気検出センサ３２を冷蔵室扉２ａ用、２ｂ用の二つを備えている。その位置関係は図７（Ｂ）に示すように、冷蔵室扉２ａに備えたパッキンの磁石３５ａともう一方の扉２ｂに備えたパッキンの磁石３５ｂのそれぞれ正面になるように配置している。
【００２６】
両冷蔵室扉２が閉まっているとき、それぞれの磁石３５は前後方向（図７（Ｂ）中の上下方向）に磁化している。このため、それぞれ冷蔵室扉２ａ、２ｂのガスケット磁石３５ａ、３５ｂによる磁気検出センサ３２への鎖交磁束は多い。このように、磁気検出センサ３２に鎖交する磁束量が多いときは、冷蔵室扉２ａ、２ｂが閉じていることを検知する。
【符号の説明】
【００２７】
１  冷蔵庫本体
１ａ  冷蔵庫箱体のフランジ（外装面）
２  冷蔵室
２ａ  右側冷蔵室扉
２ｂ  左側冷蔵室扉
３    製氷室
３ａ  製氷室扉
４    上段冷凍室
４ａ  冗談冷凍室扉
５    下段冷凍室
５ａ  下段冷凍室扉
６    野菜室
６ａ  野菜室扉
１１  回転仕切体
１２  正面部材
１３  背面部材
１４  天面部材
１４ａ  ガイド溝
１５  断熱部材
２１  仕切案内部
２１ａ  仕切案内部の正面カバー
２２  ガイド凸部材
２３  基板固定用ツメ
３２  磁気検出センサ
３４  センサ搭載基板
３５ａ  右側冷蔵室扉のガスケット磁石
３５ｂ  左側冷蔵室扉のガスケット磁石
４１  庫内灯
４２  庫内灯基板
５１  磁気検出センサ基板用配線
５２  庫内灯基板用配線
【図１】
2019020003.tif 000003
【図２】
2019020003.tif 000004
【図３】
2019020003.tif 000005
【図４】
2019020003.tif 000006
【図５】
2019020003.tif 000007
【図６】
2019020003.tif 000008
【図７】
2019020003.tif 000009